(57)【要約】【課題】簡易な構成によりフリッカの発生とノイズの発生とを抑制する。【解決手段】交流電源出力の１周期単位でオンオフされるよう温水ヒータ用スイッチ、便座ヒータ用スイッチおよび乾燥ヒータ用スイッチを制御する。そして、おしり洗浄ボタンが操作されて洗浄水の加温要求がなされたとき、１周期単位でオンオフされるよう温水ヒータ用スイッチを制御し、温水ヒータのオフ周期においてオンされ温水ヒータのオン周期においてオフされるよう便座ヒータ用スイッチおよび乾燥ヒータ用スイッチを制御する。これにより、装置全体で見れば、交流電源出力の１周期毎の電流差を小さくすることができるため、フリッカの発生を抑制することができる。また、各スイッチは１周期単位でオンオフされるため、ノイズの発生も抑制することができる。【選択図】図４
2017218864.tif 000002
【特許請求の範囲】
【請求項１】
交流電源からの電力の供給を受けて駆動して人体の局部を洗浄するための洗浄水を加温する温水ヒータと、前記交流電源からの電力の供給を受けて駆動して便座を加温する便座ヒータとを有する温水洗浄便座装置であって、
前記交流電源からの電力を前記温水ヒータを供給する温水ヒータ用スイッチと、
前記交流電源からの電力を前記便座ヒータに供給する便座ヒータ用スイッチと、
交流電源出力の１周期単位または半周期単位でオンまたはオフされるよう前記温水ヒータ用スイッチおよび前記便座ヒータ用スイッチを制御する制御手段と、
を備え、
前記制御手段は、前記洗浄水の加温要求がなされたとき、前記加温要求に従って１周期単位または半周期単位でオンまたはオフされるよう前記温水ヒータ用スイッチを制御し、前記温水ヒータ用スイッチのオフ期間においてオンされ前記温水ヒータ用スイッチのオン期間においてオフされるよう前記便座ヒータ用スイッチを制御する洗浄水加温時制御を実行する手段である、
ことを特徴とする温水洗浄便座装置。
【請求項２】
請求項１記載の温水洗浄便座装置であって、
前記制御手段は、前記洗浄水の加温要求がなされ、且つ、前記便座の加温要求がなされているときに、前記洗浄水加温時制御を実行する手段である、
ことを特徴とする温水洗浄便座装置。
【請求項３】
交流電源からの電力の供給を受けて駆動して人体の局部を洗浄するための洗浄水を加温する温水ヒータと、前記交流電源からの電力の供給を受けて駆動して人体の局部を乾燥させるための乾燥ヒータとを有する温水洗浄便座装置であって、
前記交流電源からの電力を前記乾燥ヒータに供給する乾燥ヒータ用スイッチと、
交流電源出力の１周期単位または半周期単位でオンまたはオフされるよう前記温水ヒータ用スイッチおよび前記乾燥ヒータ用スイッチを制御する制御手段と、
を備え、
前記制御手段は、前記洗浄水の加温要求がなされたとき、前記加温要求に従って１周期単位または半周期単位でオンまたはオフされるよう前記温水ヒータ用スイッチを制御し、前記温水ヒータ用スイッチのオフ期間においてオンされ前記温水ヒータ用スイッチのオン期間においてオフされるよう前記乾燥ヒータ用スイッチを制御する洗浄水加温時制御を実行する手段である、
ことを特徴とする温水洗浄便座装置。
【請求項４】
請求項３記載の温水洗浄便座装置であって、
前記交流電源からの電力の供給を受けて駆動し、前記乾燥ヒータを介して人体の局部へ送風する乾燥ファンと、
前記交流電源からの電力を前記乾燥ファンに供給する乾燥ファン用スイッチと、
を備え、
前記制御手段は、前記洗浄水加温時制御として、前記乾燥ヒータ用スイッチをオンしているときでも前記乾燥ファン用スイッチをオフとする手段である、
ことを特徴とする温水洗浄便座装置。
【請求項５】
請求項１ないし４いずれか１項に記載の温水洗浄便座装置であって、
前記温水ヒータは、人体の局部へ供給される洗浄水を瞬間的に加温可能に構成されている
ことを特徴とする温水洗浄便座装置。
【発明の詳細な説明】
【技術分野】
【０００１】
本発明は、温水洗浄便座装置に関する。
【背景技術】
【０００２】
従来、この種の温水洗浄便座装置としては、洗浄水を加熱する少なくとも２つのヒータと、これらヒータに個別にＡＣ電源からの電力を供給するスイッチとを備え、一のヒータに対するスイッチのＯＮ／ＯＦＦ制御を位相制御によって行ない、残りのヒータに対するスイッチのＯＮ／ＯＦＦ制御を半波単位の制御（パターン制御）によって行なうものが提案されている（例えば、特許文献１参照）。この装置では、出力電力の分解能が高い位相制御と、発生するノイズが小さいパターン制御とを組み合わせることで、高調波電流を低減させ、且つ、緻密な温度制御を行なうことができる、としている。
【先行技術文献】
【特許文献】
【０００３】
【特許文献１】特開２０１５−６８１３６号公報
【発明の概要】
【発明が解決しようとする課題】
【０００４】
しかしながら、上述した温水洗浄便座装置では、洗浄水を加熱するのに２つ以上のヒータが必要である。このため、これらのヒータを駆動するための駆動回路（スイッチ）もヒータの数だけ必要となり、装置が大型化すると共にコスト増を招いてしまう。また、上述した温水洗浄便座装置では、位相制御とパターン制御とを組み合わせるため、位相制御の際に高調波電流が少なからず発生し、別途ノイズ対策をとらねばならない場合も考えられる。
【０００５】
本発明の温水洗浄便座装置は、簡易な構成によりフリッカの発生とノイズの発生とを抑制することを主目的とする。
【課題を解決するための手段】
【０００６】
本発明の温水洗浄便座装置は、上述の主目的を達成するために以下の手段を採った。
【０００７】
本発明の第１の温水洗浄便座装置は、
交流電源からの電力の供給を受けて駆動して人体の局部を洗浄するための洗浄水を加温する温水ヒータと、前記交流電源からの電力の供給を受けて駆動して便座を加温する便座ヒータとを有する温水洗浄便座装置であって、
前記交流電源からの電力を前記温水ヒータを供給する温水ヒータ用スイッチと、
前記交流電源からの電力を前記便座ヒータに供給する便座ヒータ用スイッチと、
交流電源出力の１周期単位または半周期単位でオンまたはオフされるよう前記温水ヒータ用スイッチおよび前記便座ヒータ用スイッチを制御する制御手段と、
を備え、
前記制御手段は、前記洗浄水の加温要求がなされたとき、前記加温要求に従って１周期単位または半周期単位でオンまたはオフされるよう前記温水ヒータ用スイッチを制御し、前記温水ヒータ用スイッチのオフ期間においてオンされ前記温水ヒータ用スイッチのオン期間においてオフされるよう前記便座ヒータ用スイッチを制御する洗浄水加温制御を実行する手段である、
ことを要旨とする。
【０００８】
この本発明の第１の温水洗浄便座装置は、温水ヒータと便座ヒータと温水ヒータ用スイッチと便座ヒータ用スイッチとを備えるものである。この第１の温水洗浄便座装置において、交流電源出力の１周期単位または半周期単位でオンまたはオフされるよう温水ヒータ用スイッチおよび便座ヒータ用スイッチを制御するものとし、洗浄水の加温要求がなされたとき、加温要求に従って１周期単位または半周期単位でオンまたはオフされるよう温水ヒータ用スイッチを制御し、温水ヒータ用スイッチのオフ期間においてオンされ温水ヒータ用スイッチのオン期間においてオフされるよう便座ヒータ用スイッチを制御する洗浄水加温制御を実行する。このように、洗浄水加温制御は、温水ヒータ用スイッチのオフ期間を便座ヒータ用スイッチのオン期間とすると共に温水ヒータ用スイッチのオン期間を便座ヒータ用スイッチのオフ期間とするため、装置全体の交流電流の１周期毎または半周期毎の電流差を小さくすることができ、フリッカの発生を抑制することができる。また、温水ヒータ用スイッチおよび便座ヒータ用スイッチの制御を１周期単位または半周期単位で行ない、位相制御を使用しないため、高調波電流の発生を抑制し、ノイズの発生を抑制することができる。
【０００９】
こうした本発明の第１の温水洗浄便座装置において、前記制御手段は、前記洗浄水の加温要求がなされ、且つ、前記便座の加温要求がなされているときに、前記洗浄水加温制御を実行する手段であるものとしてもよい。こうすれば、洗浄水の加温要求と便座の加温要求がなされているときに限定して洗浄水加温制御において便座ヒータへ通電させるため、使用者に不快感を感じさせないようにすることができる。
【００１０】
また、本発明の第２の温水洗浄便座装置は、
交流電源からの電力の供給を受けて駆動して人体の局部を洗浄するための洗浄水を加温する温水ヒータと、前記交流電源からの電力の供給を受けて駆動して人体の局部を乾燥させるための乾燥ヒータとを有する温水洗浄便座装置であって、
前記交流電源からの電力を前記乾燥ヒータに供給する乾燥ヒータ用スイッチと、
交流電源出力の１周期単位または半周期単位でオンまたはオフされるよう前記温水ヒータ用スイッチおよび前記乾燥ヒータ用スイッチを制御する制御手段と、
を備え、
前記制御手段は、前記洗浄水の加温要求がなされたとき、前記加温要求に従って１周期単位または半周期単位でオンまたはオフされるよう前記温水ヒータ用スイッチを制御し、前記温水ヒータ用スイッチのオフ期間においてオンされ前記温水ヒータ用スイッチのオン期間においてオフされるよう前記乾燥ヒータ用スイッチを制御する洗浄水加温制御を実行する手段である、
ことを要旨とする。
【００１１】
この本発明の第２の温水洗浄便座装置は、温水ヒータと乾燥ヒータと温水ヒータ用スイッチと乾燥ヒータ用スイッチとを備えるものである。この第２の温水洗浄便座装置において、交流電源出力の１周期単位または半周期単位でオンまたはオフされるよう温水ヒータ用スイッチおよび乾燥ヒータ用スイッチを制御するものとし、洗浄水の加温要求がなされたとき、加温要求に従って１周期単位または半周期単位でオンまたはオフされるよう温水ヒータ用スイッチを制御し、温水ヒータ用スイッチのオフ期間においてオンされ温水ヒータ用スイッチのオン期間においてオフされるよう乾燥ヒータ用スイッチを制御する洗浄水加温制御を実行する。このように、洗浄水加温制御は、温水ヒータ用スイッチのオフ期間を乾燥ヒータ用スイッチのオン期間とすると共に温水ヒータ用スイッチのオン期間を乾燥ヒータ用スイッチのオフ期間とするため、装置全体の交流電流の１周期毎または半周期毎の電流差を小さくすることができ、フリッカの発生を抑制することができる。また、温水ヒータ用スイッチおよび乾燥ヒータ用スイッチの制御を１周期単位または半周期単位で行ない、位相制御を使用しないため、高調波電流の発生を抑制し、ノイズの発生を抑制することができる。
【００１２】
こうした本発明の第２の温水洗浄便座装置において、前記交流電源からの電力の供給を受けて駆動し、前記乾燥ヒータを介して人体の局部へ送風する乾燥ファンと、前記交流電源からの電力を前記乾燥ファンに供給する乾燥ファン用スイッチと、を備え、前記制御手段は、前記洗浄水加温制御として、前記乾燥ヒータ用スイッチをオンしているときでも前記乾燥ファン用スイッチをオフとする手段であるものとしてもよい。こうすれば、乾燥ヒータで加温された空気が使用者に吹き付けられるのを防止し、使用者に不快感を感じさせないようにすることができる。
【００１３】
また、本発明の第１または第２の温水洗浄便座装置において、前記温水ヒータは、人体の局部へ供給される洗浄水を瞬間的に加温可能に構成されているものとしてもよい。この場合、温水ヒータの消費電力が大きいため、フリッカの発生やノイズの発生を抑制することに対する意義がより大きなものとなる。
【図面の簡単な説明】
【００１４】
【図１】本発明の一実施例としての温水洗浄便座装置１０を含む便器装置の外観を示す外観構成図である。
【図２】便座装置本体１２の電気的な構成の概略を示す構成図である。
【図３】温水ヒータ３１の通電制御の一例を示す説明図である。
【図４】温水ヒータ３１の間引き制御の際に実行される便座ヒータ３２および乾燥ヒータ３３の制御（洗浄水加温時制御）を示す説明図である。
【図５】洗浄水加温時制御によって装置全体に流れる電流の波形を示す説明図である。
【図６】制御装置２１のＣＰＵにより実行される温水ヒータ制御ルーチンの一例を示すフローチャートである。
【図７】おしり洗浄時において、温水ヒータ３１、便座ヒータ３２、乾燥ヒータ３３、乾燥ファン３４の各駆動状態の時間変化の様子を示すタイムチャートである。
【図８】変形例の洗浄水加温時制御を示す説明図である。
【図９】変形例の洗浄水加温時制御によって装置全体に流れる電流の波形を示す説明図である。
【発明を実施するための形態】
【００１５】
本発明を実施するための形態を実施例を用いて説明する。
【実施例】
【００１６】
図１は本発明の一実施例としての温水洗浄便座装置１０を含む便器装置の外観を示す外観構成図であり、図２は、便座装置本体１２の電気的な構成の概略を示す構成図である。実施例の温水洗浄便座装置１０は、図１に示すように、便器１の上面に設置され、便座装置本体１２と、便座装置本体１２に対して開閉可能に支持された便座１４と、便座装置本体１２に対して開閉可能に支持された便蓋１６と、使用者による各種操作が可能な操作部１８とを備える。この温水洗浄便座装置１０は、温水洗浄機能の他に、暖房便座機能、温風乾燥機能を有している。
【００１７】
便座装置本体１２は、図２に示すように、使用者の局部へ図示しない洗浄ノズルから噴射する洗浄水を加温するための温水ヒータ３１と、便座１４を加温するための便座ヒータ３２と、洗浄後の局部の乾燥に用いられる乾燥ヒータ３３と、乾燥ヒータ３３を介して送風を行なう乾燥ファン３４（ファンモータ）と、交流電源５から各ヒータ３１〜３３への通電と遮断とを個別に行なうヒータ用スイッチ（温水ヒータ用スイッチ３５，便座ヒータ用スイッチ３６，乾燥ヒータ用スイッチ３７）と、乾燥ファン３４への通電と遮断とを行う乾燥ファン用スイッチ３８とを備える。温水ヒータ３１と便座ヒータ３２と乾燥ヒータ３３は、交流電源５に対して互いに並列接続されている。温水ヒータ用スイッチ３５と便座ヒータ用スイッチ３６と乾燥ヒータ用スイッチ３７は、トライアック等の半導体スイッチが用いられ、交流電源５に対して対応するヒータと直列接続されている。
【００１８】
温水ヒータ３１は、洗浄ノズルに供給する洗浄水を瞬間的に加温可能なヒータであり、例えば１０００Ｗの定格出力を有する。便座ヒータ３２は、所定時間（数秒）内で便座１４を加温可能なヒータとして構成され、例えば４００Ｗの定格出力を有する。乾燥ヒータ３３は、空気を使用者の局部の乾燥に適した温度に加温可能なヒータとして構成され、例えば５００Ｗの定格出力を有する。
【００１９】
また、便座装置本体１２は、ＣＰＵを含む制御装置２１や、操作部１８への通電と遮断とを行なう操作部用スイッチ３９、交流電源５から制御装置（ＣＰＵ）２１，操作部１８，乾燥ファン３４の動作に必要な電圧を生成する電源回路２０なども備えている。
【００２０】
操作部１８は、例えば、洗浄水によりおしりを洗浄するためのおしり洗浄ボタンや、ビデとして用いられるビデボタン、洗浄水の水勢を調節するための水勢調節ボタン、洗浄水の温水温度を調節するための温水温度調節ボタン、便座温度（便座暖房なしを含む）を調節するための便座温度調節ボタン、洗浄後に濡れた局部を乾燥させるための乾燥ボタン、乾燥温度を調節するための乾燥温度調節スイッチ，おしり洗浄，ビデ，乾燥を停止させるための停止ボタンなどを備える。
【００２１】
制御装置２１は、ＣＰＵを中心としたマイクロプロセッサとして構成されており、ＣＰＵの他にＲＯＭやＲＡＭなどを備える。制御装置２１には、操作部１８からの操作信号や温水洗浄便座装置１０の作動状態を検出するための図示しない検出部からの検出信号などが入力されており、制御装置２１からは、各スイッチ３５〜３９への駆動信号などが出力されている。検出部は、例えば、人の入室を検知する人体検知センサや、洗浄水の温度を検出する水温センサ、便座温度を検出する温度センサ、乾燥温度を検出する温度センサ、交流電源電圧のゼロクロス点を検出するゼロクロス点検出回路などを挙げることができる。
【００２２】
次に、こうして構成された温水洗浄便座装置１０の動作について説明する。温水ヒータ３１の通電制御は、交流電源出力の複数の周期を１サイクルとして１周期（正の半波と負の半波とを合わせた全波）毎に温水ヒータ３１の通電と遮断とを制御（オンオフ制御）することにより行なわれる。具体的には、温水ヒータ３１の通電制御は、操作部１８の温水温度調節ボタンからの操作信号に基づいて洗浄水の目標水温を設定し、目標水温と検出部（水温センサ）により検出される洗浄水の水温との偏差に基づいて温水ヒータ３１の通電パターンを設定し、通電パターンに従って温水ヒータ用スイッチ３５を制御することにより行なわれる。通電パターンは、１サイクル（複数の周期）のうち、各周期毎に温水ヒータ３１に通電するオン周期（通電周期）と温水ヒータ３１に通電しないオフ周期（遮断周期）の何れかを設定するものである。また、温水ヒータ用スイッチ３５のオンオフ制御は、オン周期において、交流電源出力がゼロクロス点を通過するタイミングで温水ヒータ用スイッチ３５をオンとすることにより行なわれる。なお、温水ヒータ用スイッチ３５は、本実施例では、トライアックが用いられているから、次のゼロクロス点を通過するタイミングで自動的にオフされる。図３は、温水ヒータ３１の通電制御の一例を示す説明図である。図３に示すように、温水ヒータ３１の通電制御は、交流電源出力の４周期分を１サイクルとし、通電パターンとして、４周期の全てがオン周期となる全波制御パターン（図３（ａ）参照）や、４周期のうち３周期でオン周期となり残りの１周期でオフ周期となる間引き制御パターンＡ（図３（ｂ）参照）、４周期のうち２周期でオン周期となり残りの２周期でオフ周期となる（オン周期とオフ周期とが交互にあらわれる）間引き制御パターンＢ（図３（ｃ）参照）などを有する。
【００２３】
なお、便座ヒータ３２や乾燥ヒータ３３の通電制御も、同様に、交流電源出力の複数の周期を１サイクルとして１周期毎にそれぞれ便座ヒータ３２、乾燥ヒータ３３の通電と遮断とを制御することにより行なわれる。具体的には、便座ヒータ３２の通電制御は、温水ヒータ３１の通電制御と同様に、便座温度調節ボタンから操作信号に基づいて便座の目標温度を設定し、目標温度と検出部（温度センサ）により検出される便座の温度との偏差に基づいて便座ヒータ３２の通電パターンを設定し、通電パターンに従って便座ヒータ用スイッチ３６をオンオフ制御することにより行なわれる。また、乾燥ヒータ３３の通電制御は、温水ヒータ３１の通電制御と同様に、乾燥温度調節ボタンから操作信号に基づいて乾燥の目標温度を設定し、目標温度と検出部（温度センサ）により検出される乾燥温度との偏差に基づいて乾燥ヒータ３３の通電パターンを設定し、通電パターンに従って乾燥ヒータ用スイッチ３７をオンオフ制御することにより行われる。なお、乾燥を行なう場合、乾燥ヒータ３３の通電と共に乾燥ファン３４による送風が行われるよう乾燥ファン用スイッチ３８をオンする。
【００２４】
このように、各ヒータの通電制御は交流電源出力の１周期毎に通電と遮断とを制御することによって行われるため、各ヒータに流れる電流は正弦波となり、高調波成分を殆ど含まず、放射ノイズは殆ど発生しない。しかしながら、交流電源出力の１周期毎に通電と遮断とを制御する間引き制御の手法では、オン周期とオフ周期との間で電流差が大きくなり、同じ電気系統に照明装置が接続されていると、照明のチラツキ（フリッカ）が発生してしまう。そこで、本実施例では、温水ヒータ３１の間引き制御が実行される際、温水ヒータ３１がオフ周期のときに便座ヒータ３２と乾燥ヒータ３３とがオン周期となり、温水ヒータ３１がオン周期のときに便座ヒータ３２と乾燥ヒータ３３とがオフ周期となるように便座ヒータ３２と乾燥ヒータ３３の通電制御（間引き制御）を実行する。図４は、温水ヒータ３１の間引き制御の際に実行される便座ヒータ３２および乾燥ヒータ３３の通電制御（洗浄水加温時制御）を示す説明図であり、図５は、洗浄水加温時制御によって装置全体に流れる電流の波形を示す説明図である。なお、図中、１周期に亘って温水ヒータ用スイッチ３５をオンしたときには、温水ヒータ３１に１０Ａの電流が流れ、１周期に亘って便座ヒータ用スイッチ３６をオンしたときには、便座ヒータ３２に４Ａの電流が流れ、１周期に亘って乾燥ヒータ用スイッチ３７をオンしたときには、乾燥ヒータ３３に５Ａの電流が流れるものとした。図４（ａ）に示すように、温水ヒータ３１の通電制御を間引き制御によって実行する場合、温水ヒータ３１には、オン周期においては１０Ａの電流が流れ、オフ周期においては電流が流れないため、オン周期とオフ周期との間に１０Ａの電流差が生じる。一方、図４（ｂ），（ｃ）に示すように、温水ヒータ３１の通電制御を間引き制御によって実行している間、温水ヒータ３１のオフ周期が便座ヒータ３２および乾燥ヒータ３３のオン周期となると共に温水ヒータ３１のオン周期が便座ヒータ３２および乾燥ヒータ３３のオフ周期となるように便座ヒータ３２および乾燥ヒータ３３の間引き制御を実行する場合、温水洗浄便座装置１０全体として見れば、図５に示す電流波形が得られる。この場合、温水ヒータ３１のオフ周期において、便座ヒータ３２に４Ａの電流が流れ、乾燥ヒータ３３に５Ａの電流が流れるため、温水洗浄便座装置１０全体として見れば、合計９Ａの電流が流れることになる。したがって、この場合、温水ヒータ３１のオン周期とオフ周期との間で１Ａの電流差しか生じないため、フリッカの発生を抑制することができる。
【００２５】
図６は、制御装置２１のＣＰＵにより実行される温水ヒータ制御ルーチンの一例を示すフローチャートである。このルーチンは、操作部１８のおしり洗浄ボタンがオン操作されたときに所定時間毎（例えば、数ｍｓｅｃ毎）に繰り返し実行される。
【００２６】
温水ヒータ制御ルーチンが実行されると、制御装置２１のＣＰＵは、まず、ゼロクロス点検出回路によりゼロクロス点が検出されたか否かを判定する（ステップＳ１００）。ゼロクロス点が検出されていないと判定すると、温水ヒータ制御ルーチンを一旦終了する。一方、ゼロクロス点が検出されたと判定すると、温水ヒータ用スイッチ３５の通電パターンを設定し（ステップＳ１１０）、温水ヒータ３１の通電パターンが間引き制御パターンであるか否かを判定する（ステップＳ１２０）。通電パターンが間引き制御パターンでないと判定すると、全波制御パターンであり、１サイクル中の全ての周期がオン周期であるから、温水ヒータ用スイッチ３５をオンとして（ステップ１４０）、温水ヒータ制御ルーチンを終了する。なお、温水ヒータ用スイッチ３５、便座ヒータ用スイッチ３６および乾燥ヒータ用スイッチ３７は、トライアックとして構成されているから、ゼロクロス点の通過タイミングでオンされた後、次のゼロクロス点の通過タイミングで自動的にオフされる。
【００２７】
一方、温水ヒータ３１の通電パターンが間引き制御パターンであると判定すると、今回の周期がオン周期であるか否かを判定する（ステップＳ１３０）。今回の周期がオン周期であると判定すると、温水ヒータ用スイッチ３５をオンとして（ステップＳ１４０）、温水ヒータ制御ルーチンを終了する。一方、今回の周期がオン周期でなく、オフ周期であると判定すると、操作部１８からの操作信号に基づいて便座１４の暖房要求がなされているか否かを判定する（ステップＳ１５０）。便座１４の暖房要求がなされているときには、便座ヒータ用スイッチ３６および乾燥ヒータ用スイッチ３７を共にオンとして（ステップＳ１６０，Ｓ１７０）、温水ヒータ制御ルーチンを終了し、便座１４の暖房要求がなされていないときには、乾燥ヒータ用スイッチ３７のみをオンとして（ステップＳ１７０）、温水ヒータ制御ルーチンを終了する。このように、温水ヒータ３１のオフ周期において、便座ヒータ３２や乾燥ヒータ３３を通電する洗浄水加温時制御を実行することにより、装置全体での１周期毎の電流差を小さくして、フリッカの発生を抑制することができる。
【００２８】
洗浄水加温時制御において、便座ヒータ用スイッチ３６は、便座１４の暖房要求がなされているときに温水ヒータ３１のオフ周期においてオンされる。この場合、便座１４の目標温度に拘わらず、便座ヒータ用スイッチ３６が制御（間引き制御）されることになるが、こうした制御はおしり洗浄が行われているときに限定的に行われるため、便座１４が大きく温度変化することはなく、使用者が不快感を感じることは少ないと考えられる。
【００２９】
また、洗浄水加温時制御において、乾燥ヒータ用スイッチ３７は、乾燥が指示されているか否かに拘わらず温水ヒータ３１のオフ周期においてオンされる。この場合、乾燥ファン３４は駆動されないから、使用者に温風が吹き付けられることはなく、使用者に不快感を感じさせないようにすることができる。なお、乾燥は、おしり洗浄と同時に行われることがないため、通常は、温水ヒータ用スイッチ３５の制御と乾燥ヒータ用スイッチ３７の制御とが同時に実行されることはない。
【００３０】
図７は、おしり洗浄時において、温水ヒータ３１、便座ヒータ３２、乾燥ヒータ３３、乾燥ファン３４の各駆動状態の時間変化の様子を示すタイムチャートである。図示するように、時刻Ｔ１に人体検知センサにより人の入室が検知されると、便座ヒータ３２へ通電されるよう便座ヒータ用スイッチ３６を制御する（通常制御）。そして、時刻Ｔ２に着座センサにより便座１４への着座が検知された後、時刻Ｔ３におしり洗浄ボタンが操作されると、温水ヒータ３１へ通電されるよう温水ヒータ用スイッチ３５を間引き制御または全波制御により制御し、間引き制御を実行している間、温水ヒータ３１のオフ周期のときにオンされオン周期のときにオフされるよう便座ヒータ用スイッチ３６および乾燥ヒータ用スイッチ３７を制御する（洗浄水加温時制御）。このとき、乾燥ファン３４が回転しないよう乾燥ファン用スイッチ３８がオフとされる。時刻Ｔ４に停止ボタンが操作されておしり洗浄が終了した後、時刻Ｔ５におしり乾燥ボタンが操作されると、乾燥ヒータ３３へ通電されるよう乾燥ヒータ用スイッチ３７を制御すると共に乾燥ファン３４（ファンモータ）へ通電されるよう乾燥ファン用スイッチ３８を制御する（通常制御）。そして、時刻Ｔ６に、おしり乾燥ボタンが停止操作されると、乾燥ヒータ用スイッチ３７および乾燥ファン用スイッチ３８の制御を停止して乾燥を終了する。また、時刻Ｔ７に人体検知センサにより人の退室が検知されると、便座ヒータ３２の通電を停止する。
【００３１】
以上説明した実施例の温水洗浄便座装置１０は、交流電源出力の１周期単位でオンオフされるよう温水ヒータ用スイッチ３５、便座ヒータ用スイッチ３６および乾燥ヒータ用スイッチ３７を制御する。そして、おしり洗浄ボタンが操作されて洗浄水の加温要求がなされたとき、１周期単位でオンオフされるよう温水ヒータ用スイッチ３５を制御し、温水ヒータ３１のオフ周期においてオンされ温水ヒータ３１のオン周期においてオフされるよう便座ヒータ用スイッチ３６および乾燥ヒータ用スイッチ３７を制御する洗浄水加温時制御を実行する。これにより、装置全体で見れば、交流電源出力の１周期毎の電流差を小さくすることができるため、フリッカの発生を抑制することができる。もとより、温水ヒータ用スイッチ３５、便座ヒータ用スイッチ３６および乾燥ヒータ用スイッチ３７の制御を１周期単位で行ない、位相制御を使用しないため、高調波電流の発生を抑制し、ノイズの発生を抑制することができる。
【００３２】
しかも、実施例の温水洗浄便座装置１０では、洗浄水加温時制御として、温水ヒータ３１のオフ周期のときには、乾燥ヒータ用スイッチ３７はオンとするが乾燥ファン用スイッチ３８はオフとするから、使用者に温風が吹き付けられて、使用者に不快感を与えるのを抑制することができる。
【００３３】
実施例の温水洗浄便座装置１０では、交流電源出力の１周期単位でオンオフされるよう温水ヒータ用スイッチ３５、便座ヒータ用スイッチ３６および乾燥ヒータ用スイッチ３７を制御するものとしたが、交流電源出力の半周期単位でオンオフされるよう温水ヒータ用スイッチ３５、便座ヒータ用スイッチ３６および乾燥ヒータ用スイッチ３７を制御してもよい。図８に変形例の洗浄水加温時制御を示し、図９に変形例の洗浄水加温時制御によって装置全体に流れる電流の波形を示す。変形例では、通電パターンとして、１サイクルのうち半周期毎に温水ヒータ３１に通電するオン周期と温水ヒータ３１に通電しないオフ周期とを設定するものとし、温水ヒータ用スイッチ３５のオフ周期のときに便座ヒータ用スイッチ３６および乾燥ヒータ用スイッチ３７が半波分だけオンされ温水ヒータ用スイッチ３５のオン周期のときにオフされるよう制御する。これにより、温水洗浄便座装置１０全体として見れば、図９に示すように、温水ヒータ３１のオン周期において、半周期あたり５Ａの電流が流れ、温水ヒータ３１のオフ周期において、半周期あたり４．５Ａの電流が流れることになり、この場合、交流電源出力の半周期において、温水ヒータ３１のオン周期とオフ周期との間で０．５Ａの電流差しか生じないため、フリッカの発生を抑制することができる。
【００３４】
実施例の温水洗浄便座装置１０では、洗浄水加温時制御として、便座１４の暖房要求がなされているときに限って温水ヒータ３１のオフ周期において便座ヒータ用スイッチ３６をオンするものとしたが、便座１４の暖房要求がなされていないときにも温水ヒータ３１のオフ周期において便座ヒータ用スイッチ３６をオンするものとしてもよい。この場合でも、便座ヒータ３２への通電は、おしり洗浄が行なわれている間に限って間引きによって行なわれるから、便座１４の温度が急上昇することはなく、使用者が不快感を感じることは少ないと考えられる。なお、便座ヒータ用スイッチ３６は、温水ヒータ用スイッチ３５のオフ周期において、半周期分だけオンし、他の半周期をオフとしてもよい。こうすれば、便座１４の温度上昇をより抑制することができる。
【００３５】
実施例の温水洗浄便座装置１０では、洗浄水加温時制御として、温水ヒータ３１のオフ周期において、便座ヒータ用スイッチ３６および乾燥ヒータ用スイッチ３７の双方をオンするものとしたが、便座ヒータ用スイッチ３６および乾燥ヒータ用スイッチ３７の何れか一方のみを選択的にオンするものとしてもよい。便座ヒータ用スイッチ３６のみをオンする場合、乾燥ヒータ３３を備えない温水洗浄便座装置にも本発明を適用することができ、乾燥ヒータ用スイッチ３７のみをオンする場合、便座ヒータ３２を備えない温水洗浄便座装置にも本発明を適用することができる。また、温水ヒータ３１のオフ周期が発生する度に便座ヒータ用スイッチ３６と乾燥ヒータ用スイッチ３７とを交互にオンするものとしてもよい。
【００３６】
実施例の温水洗浄便座装置１０では、洗浄水加温時制御として、温水ヒータ３１のオフ周期で乾燥ヒータ用スイッチ３７をオンとすると共に乾燥ファン用スイッチ３８をオフとするものとしたが、乾燥ファン用スイッチ３８を逆回転駆動するものとしてもよい。この場合、乾燥ファン用スイッチ３８をＨブリッジ制御回路に置き換えるものとすればよい。これにより、外気を装置内部に取り込むことができるため、乾燥ヒータ３３の温度上昇を抑制することができる。
【００３７】
実施例の主要な要素と課題を解決するための手段の欄に記載した発明の主要な要素との対応関係について説明する。実施例では、温水ヒータ３１が「温水ヒータ」に相当し、便座ヒータ３２が「便座ヒータ」に相当し、温水ヒータ用スイッチ３５が「温水ヒータ用スイッチ」に相当し、便座ヒータ用スイッチ３６が「便座ヒータ用スイッチ」に相当し、制御装置２１が「制御手段」に相当する。また、乾燥ヒータ３３が「乾燥ヒータ」に相当し、乾燥ヒータ用スイッチ３７が「乾燥ヒータ用スイッチ」に相当する。また、乾燥ファン３４が「乾燥ファン」に相当し、乾燥ファン用スイッチ３８が「乾燥ファン用スイッチ」に相当する。
【００３８】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００３９】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００４０】
本発明は、温水洗浄便座装置の製造産業などに利用可能である。
【符号の説明】
【００４１】
１  便器、５  交流電源、１０  温水洗浄便座装置、１２  便座装置本体、１４  便座、１６  便蓋、１８  操作部、２０  電源回路、２１  制御装置（ＣＰＵ）、３１  温水ヒータ、３２  便座ヒータ、３３  乾燥ヒータ、３４  乾燥ファン、３５  温水ヒータ用スイッチ、３６  便座ヒータ用スイッチ、３７  乾燥ヒータ用スイッチ、３８  乾燥ファン用スイッチ、３９  操作部用スイッチ。
【図１】
2017218864.tif 000003
【図２】
2017218864.tif 000004
【図３】
2017218864.tif 000005
【図４】
2017218864.tif 000006
【図５】
2017218864.tif 000007
【図６】
2017218864.tif 000008
【図７】
2017218864.tif 000009
【図８】
2017218864.tif 000010
【図９】
2017218864.tif 000011